(57)【要約】【課題】幅木が足場板本体に連結、一体化され幅木を使用しないときは幅木をコンパクトに格納でき、幅木を使用するとき足場板と幅木との間に隙間がなくしかも通路幅を狭めない足場板を提供する。【解決手段】足場板本体３と、前記足場板本体の側面部８との隙間を覆う側面カバーが設けられた折り畳み自在な板状の幅木２０ａ、２０ｂと、前記幅木２０ａ、２０ｂと前記足場板本体３とを連結し前記幅木２０ａ、２０ｂを前記足場板本体の側面部８、９に起立させ又は格納する連結具４０ａ、４０ｂと、を含み、前記幅木２０ａ、２０ｂを使用するときは、幅木２０ａ、２０ｂを前記足場板本体の側面部８、９に起立させ、前記幅木２０ａ、２０ｂを使用しないときは、前記幅木２０ａ、２０ｂを折り畳み前記足場板本体の側面部８、９に格納する。【選択図】図２
2011184867.tif 000002
【特許請求の範囲】
【請求項１】
足場板本体と、
前記足場板本体の側面部との隙間を覆う側面カバーが設けられた折り畳み自在な板状の幅木と、
前記幅木と前記足場板本体とを連結し前記幅木を前記足場板本体の側面部に起立させ又は格納する連結具と、を含み、
前記幅木を使用するときは、幅木を前記足場板本体の側面部に起立させ、前記幅木を使用しないときは、前記幅木を折り畳み前記足場板本体の側面部に格納することを特徴とする足場板。
【請求項２】
前記幅木は、ヒンジを介して重ね合わせるように折り畳み可能に連結された２枚以上の細長い板状体からなり、前記側面カバーは、幅木を起立させたとき一番下方に位置する板状体の底辺に直交するように取り付けられ、
前記幅木を使用するときは、折り畳まれた状態の前記板状体を展開し前記足場板本体の側面部に起立させ、前記幅木を使用しないときは、前記板状体を折り畳み前記足場板本体の側面部に格納することを特徴とする請求項１に記載の足場板。
【請求項３】
前記幅木は、前記足場板本体の側面部に格納したとき、前記足場板本体の上面、下面、前面及び後面から突出しない大きさであることを特徴とする請求項１又２に記載の足場板。
【請求項４】
さらに前記幅木を起立させたとき前記幅木の端部と前記足場板本体の前端部及び／又は後端部との間にできる隙間を覆う板状の端部カバーを備え、
前記端部カバーは、前記幅木の前端部及び／又は後端部に設けられた端部カバー格納部に出し入れ自在に格納されていることを特徴とする請求項１から３のいずれか１に記載の足場板。
【請求項５】
前記幅木は、前後に分割された２分割構造からなり、前後の幅木を一体化させる接続板を備え、
前後の幅木は、互いに他方の幅木側の端部に接続板を格納できる接続板格納部を有し、前後の幅木のいずれか一方の前記接続板格納部に前記接続板を格納し、
幅木を使用するときは前後の接続板格納部に前記接続板を掛け渡し、前後の幅木を一体化させ使用することを特徴とする請求項１から４のいずれか１に記載の足場板。
【発明の詳細な説明】
【技術分野】
【０００１】
本発明は、幅木が足場板本体に一体化され、かつ幅木を格納することができる足場板に関する。
本発明において、特に断りがない限り足場板本体の側面は、長手方向の側面を言い、足場板本体の前又は後は、長手方向の側面を正面にして見たときの左右いずれか一方を言う。
【背景技術】
【０００２】
建設現場等で使用される足場については、労働安全衛生規則に基づき足場からの墜落防止及び物体の落下防止対策が義務付けられている。これら墜落、落下防止対策の一つに交さ筋交かいに幅木の設置がある。これまで多くの現場では、幅木に足場板を使用しているが、この方法は幅木の設置に工具が必要であり、また時間がかかる。また、交さ筋交かいへの干渉を避けて斜めに設置されるため作業通路幅が狭くなり、さらに足場板の使用量が多くなり、結果として建設コスト増となる。
【０００３】
従来の足場板を番線等で固定して幅木とするやり方が有する課題を解決するものとして、フックを備える幅木、又は足場板本体に対して楔構造とピンとで着脱自在に取り付けることが可能な幅木を備える足場板がある（例えば特許文献１、特許文献２参照）。
【０００４】
特許文献１及び特許文献２に記載の幅木は、取り付けは簡単に行えるが、収納するときは足場板と幅木とを分離して収納する必要があり、幅木を収納する場所も別途必要となる。これらが不便であるとして、幅木と足場板本体とが連結、一体化され、幅木を使用しないときは幅木を足場板本体の裏側に格納する足場板が提案されている（例えば特許文献３参照）。
【先行技術文献】
【特許文献】
【０００５】
【特許文献１】特許第３８６９２７７号公報
【特許文献２】特許第３８４６９１５号公報
【特許文献３】特開平８−１２８１９２号公報
【発明の概要】
【発明が解決しようとする課題】
【０００６】
特許文献３に記載の足場板は、幅木と足場板本体とが連結、一体化され、幅木を使用しないときは幅木は足場板本体の裏側に格納することができるので、幅木の設置も簡単で、さらに幅木の収納場所も不要であり好ましい足場板の一つと言える。特許文献３に記載の足場板は、幅木を足場板本体の裏側に格納するので、幅木を使用する場合は、足場板を設置する前に幅木を起立させておく必要がある。運搬、設置等を考えると幅木は、足場板を設置した後からでも格納部から取り出し使用可能にできることが好ましい。
【０００７】
本発明の目的は、幅木が足場板本体に連結、一体化され幅木を使用しないときは幅木をコンパクトに格納でき、幅木を使用するとき足場板と幅木との間に隙間がなくしかも通路幅を狭めない足場板を提供することである。また足場板を設置した後でも幅木を格納部から取り出し使用可能にできる足場板を提供する。
【課題を解決するための手段】
【０００８】
請求項１に記載の本発明は、足場板本体と、前記足場板本体の側面部との隙間を覆う側面カバーが設けられた折り畳み自在な板状の幅木と、前記幅木と前記足場板本体とを連結し前記幅木を前記足場板本体の側面部に起立させ又は格納する連結具と、を含み、前記幅木を使用するときは、幅木を前記足場板本体の側面部に起立させ、前記幅木を使用しないときは、前記幅木を折り畳み前記足場板本体の側面部に格納することを特徴とする足場板である。
【０００９】
請求項２に記載の本発明は、請求項１に記載の足場板において、前記幅木は、ヒンジを介して重ね合わせるように折り畳み可能に連結された２枚以上の細長い板状体からなり、前記側面カバーは、幅木を起立させたとき一番下方に位置する板状体の底辺に直交するように取り付けられ、前記幅木を使用するときは、折り畳まれた状態の前記板状体を展開し前記足場板本体の側面部に起立させ、前記幅木を使用しないときは、前記板状体を折り畳み前記足場板本体の側面部に格納することを特徴とする。
【００１０】
請求項３に記載の本発明は、請求項１又２に記載の足場板において、前記幅木は、前記足場板本体の側面部に格納したとき、前記足場板本体の上面、下面、前面及び後面から突出しない大きさであることを特徴とする。
【００１１】
請求項４に記載の本発明は、請求項１から３のいずれか１に記載の足場板において、さらに前記幅木を起立させたとき前記幅木の端部と前記足場板本体の前端部及び／又は後端部との間にできる隙間を覆う板状の端部カバーを備え、前記端部カバーは、前記幅木の前端部及び／又は後端部に設けられた端部カバー格納部に出し入れ自在に格納されていることを特徴とする。
【００１２】
請求項５に記載の本発明は、請求項１から４のいずれか１に記載の足場板において、前記幅木は、前後に分割された２分割構造からなり、前後の幅木を一体化させる接続板を備え、前後の幅木は、互いに他方の幅木側の端部に接続板を格納できる接続板格納部を有し、前後の幅木のいずれか一方の前記接続板格納部に前記接続板を格納し、幅木を使用するときは前後の接続板格納部に前記接続板を掛け渡し、前後の幅木を一体化させ使用することを特徴とする。
【発明の効果】
【００１３】
本発明に係る足場板は、折り畳み格納可能な幅木と足場板本体とが連結、一体化されており、幅木を使用するときは幅木を足場板本体の側面部に起立させて使用するので、工具も必要とせず簡単に幅木を使用することができる。また幅木は、足場板本体の側面部に配置されているので通路幅を狭めることがなく、さらに足場板本体の側面部との隙間を覆う側面カバーを備えるので、幅木と足場板本体の側面部との隙間から物体が落下することを防止することができる。また本発明に係る足場板は、幅木を足場板本体の側面部に格納するので、足場板を設置した後からでも幅木を使用可能にすることができ便利である。
【００１４】
また本発明によれば、幅木は、ヒンジを介して重ね合わせるように折り畳み可能に連結された２枚以上の細長い板状体からなるので、折り畳み、展開が容易であり、幅木を確実に足場板本体の側面部に起立させ又は格納することができる。
【００１５】
また本発明によれば、幅木を足場板本体の側面部に格納したとき、幅木は、足場板本体の上面、下面、前面及び後面から突出しない大きさであるので、幅木を格納しておけば幅木を備えない足場板と同じように使用することができる。また幅木を格納しておけば足場板を積み重ねるときも幅木が邪魔とならず、足場板を倉庫等に保管するときも場所を取らず好ましい。
【００１６】
また本発明によれば、さらに幅木は、幅木を起立させたとき幅木の端部と足場板本体の前端部及び／又は後端部との間にできる隙間を覆う板状の端部カバーを備えるので、足場板本体の端部から物体が落下することを防止することができる。また、この端部カバーは、幅木の端部に格納されているので、引き出すことで簡単に使用することができる。
【００１７】
また本発明によれば幅木は、前後に分割された２分割構造からなるので長さの長い足場板本体にも容易に適用することができる。また幅木を使用するときは前後の幅木が接続板を介して一体化され使用されるので、変形しにくい。
【図面の簡単な説明】
【００１８】
【図１】本発明の第１実施形態としての足場板１の斜視図であり、幅木２０を格納した状態を示す図である。
【図２】図１の足場板１の幅木２０を使用可能にしている状態を示す図である。
【図３】図１の板状体２２ａを展開し、幅木２０ａを起立させている状態を示す断面図である。
【発明を実施するための形態】
【００１９】
図１は、本発明の第１実施形態としての足場板１の斜視図であり、幅木２０を格納した状態を示す図である。図２は、足場板１の幅木２０を使用可能にしている状態を示す図である。図３は板状体２２ａを展開し、幅木２０ａを起立させている状態を示す断面図である。本実施形態において、左右とは足場板本体３の前面６を正面にして見たときの左右、前後とは、足場板本体３の左側側面８を正面にして見たとき足場板本体３の前面６側を前、足場板本体３の後面７側を後と言う。
【００２０】
足場板１は、細長い足場板本体３と、左右一対の幅木２０と、左右それぞれの幅木２０を足場板本体３に回動自在に連結する連結具４０（４０ａ、４０ｂ）を備え、幅木２０と足場板本体３とが連結、一体化された足場板である。また幅木２０を使用しないとき又は足場板１を保管するときなどには幅木２０を足場板本体３の側面８、９に格納可能であり、幅木２０を使用するとき幅木２０を起立させ使用する格納式の幅木２０を備える足場板１でもある。
【００２１】
足場板本体３は、細長い板状の形状を有し、従来から建築現場等で使用されている足場板本体と同じである。足場板本体３の構造には、枠体の上に平板が取り付けられ補強材で補強された足場板本体３、全体が一枚の板で形成された足場板本体３などがあり、材質も鋼製、アルミニウム製など、さらには足場板本体の上面１０に滑り止めが設けられ、あるいは足場板本体の上面１０に多数の貫通孔が穿設された足場板本体３などがある。さらには足場板本体３の前後にフックを有する足場板本体など種々の形態の足場板本体３があるが特定の足場板本体３に限定されることなく、従来より使用されている幅広い足場板本体を使用することができる。
【００２２】
幅木２０は、折り畳み格納できる幅木であり、左右一対の幅木２０は同一である。幅木２０は、足場板本体３の側面８、９にそれぞれ、前後に並べて配置された２つの幅木２０ａ、２０ｂからなる２分割構造の幅木である。前後に並べて配置された２つの幅木２０ａ、２０ｂは同一である。幅木２０は、実質的に幅木として機能する細長い板状体２２（２２ａ、２２ｂ）が４枚、ヒンジ２５（２５ａ、２５ｂは図示せず）を介して折り畳み、展開可能に接続され形成されている。板状体２２を展開すると一枚の平板となる。なお、板状体２２の枚数は、４枚に限定されるものではなく幅木２０の高さに応じて適宜枚数を選択できる。また幅木２０は、前後の板状体２２ａ、２２ｂを連結する接続板２６、幅木２０を起立させたときできる板状体２２ａ、２２ｂの外側端部２８ａ、２８ｂと足場板本体の端部１２、１３との隙間をカバーする端部カバー３０ａ、３０ｂ、板状体２２ａ、２２ｂを展開したときできる板状体２２ａ、２２ｂと足場板本体の側面８、９との隙間を覆う側面カバー２３ａ、２３ｂを備える。
【００２３】
板状体２２は、細長いリップ溝形鋼様の形状からなり横断面は略Ｃ字状である。板状体２２に単純な立方体形状の板でなくリップ溝形鋼様の板を使用するのは、板状体２２を幅木として機能させると共に、接続板２６等を格納する格納手段としても使用するためである。本実施形態では、板状体２２ａ、２２ｂの両端部２４ａ、２４ｂ、２８ａ、２８ｂが格納部として機能する。前側の板状体２２ａの中央側端部２４ａには、板状の接続板２６が、前後の板状体２２ａ、２２ｂの外側端部２８ａ、２８ｂには、外側端部２８ａと足場板本体３の前側端部１２との隙間をカバーする板状の端部カバー３０ａ、外側端部２８ｂと足場板本体３の後側端部１３との隙間をカバーする板状の端部カバー３０ｂが格納されている。なお板状体２２ａ、２２ｂは、端部２４ａ、２４ｂ、２８ａ、２８ｂのみを横断面形状が略Ｃ字状又は箱状とし、接続板２６及び端部カバー３０ａ、３０ｂを格納する格納部とし、中央部は平板としてもよい。
【００２４】
板状体２２ａ、２２ｂの長さは、足場板本体３の長手方向の長さの半分よりも少し短い長さであり、幅木２０を足場板本体の側面８、９に格納したとき、足場板本体３の前面６、後面７から突出しない長さとなっている。高さは、足場板本体３の厚さよりも少し低い高さ、より具体的には連結具４０の支持ピン４２（４２ａ、４２ｂ）の上端と足場板本体の上面１０との距離と同じであり、幅木２０を足場板本体の側面８、９に格納したとき、足場板本体の上面１０から突出しない高さとなっている。なお、支持ピン４２があるので幅木２０を足場板本体の側面８、９に格納したとき、板状体２２ａ、２２ｂが足場板本体の底面１１から飛び出すことはない。板状体２２ａ、２２ｂの厚さは特に限定されず、特別に強度が要求される場合を除き薄くてよい。
【００２５】
接続板２６は、前後の板状体２２ａ、２２ｂを連結するための部材であり平板状の部材で、板状体２２ａ、２２ｂの略Ｃ字状の断面の内側に形成される空間とほぼ同じ大きさである。幅木２０を使用しないときは、前側の板状体２２ａの中央側端部２４ａにスライド自在に格納され、幅木２０を使用するとき、前後の板状体２２ａ、２２ｂの中央側端部２４ａ、２４ｂに掛け渡し使用する。接続板２６は、板状体２２ａ、２２ｂの内側に形成される空間とほぼ同じ大きさであるので、前後の板状体２２ａ、２２ｂをしっかりと連結することができる。
【００２６】
端部カバー３０ａ、３０ｂは、幅木２０を起立させたとき板状体２２ａ、２２ｂの外側端部２８ａ、２８ｂと足場板本体の端部１２、１３との隙間をカバーする部材であり平板状の部材であり、板状体２２ａ、２２ｂの略Ｃ字状の断面の内側に形成される空間とほぼ同じ大きさである。幅木２０を使用しないときは、前後の板状体の外側端部２８ａ、２８ｂにスライド自在に格納され、幅木２０を使用するとき、連結棒４４（４４ａ、４４ｂ）を起立させ板状体２２ａ、２２ｂを展開した後、引き出し使用する。端部カバー３０ａ、３０ｂの大きさが、板状体２２ａ、２２ｂの略Ｃ字状の断面の内側に形成される空間とほぼ同じ大きさであるので、端部カバー３０ａ、３０ｂを板状体の外側端部２８ａ、２８ｂから引き出してもぐらつかず安定している。
【００２７】
板状体２２ａ、２２ｂのうち板状体２２ａ、２２ｂを展開したとき一番下方となる板状体の底辺には、板状体２２ａ、２２ｂを展開したときできる板状体２２ａ、２２ｂと足場板本体の側面部８、９との隙間を覆う側面カバー２３ａ、２３ｂが設けられている。側面カバー２３ａ、２３ｂは、平板状の部材であり、幅は、連結棒４６ａ、４６ｂ内側と足場板本体の側面部８、９との距離ΔＬと同じである。また、側面カバー２３ａ、２３ｂの幅は、板状体２２ａ、２２ｂを折畳んだときの板状体２２ａ、２２ｂの厚さと同じである。なお、側面カバー２３ａ、２３ｂは、展開したとき一番下方となる板状体２２ａ、２２ｂと一体的に形成してもよい。
【００２８】
連結具４０は、幅木２０を支持し、幅木２０を足場板本体３に回動自在に連結し、幅木２０を足場板本体の側面８、９に起立させ、又は足場板本体の側面８、９に格納させる部材である。連結具４０は、幅木２０を格納したとき幅木２０ａ、２０ｂの上端３２ａ、３２ｂが足場板本体の上面１０から突出しないように、かつ板状体の端部２８ａ、２８ｂが足場板本体の端部１２、１３から突出しないように、幅木２０を足場板本体３に連結する。さらに連結具４０は、幅木２０ａ、２０ｂを足場板本体の側面８、９に起立させたとき、前後の幅木２０ａ、２０ｂの間に隙間ができないように連結する。
【００２９】
連結具４０ａ、４０ｂは、複数の細長い板状の連結棒４６（４６ａ、４６ｂ）と、連結棒４６の一端部と板状体２２とを連結する支持ピン４４（４４ａ、４４ｂ）、連結棒４６の他端部と足場板本体３とを連結する支持ピン４２（４２ａ、４２ｂ）からなる。ここでは、４本の連結棒４６ａ、４６ｂで前又は後の幅木２０ａ、２０ｂを支持する。幅木２０を支持するには連結棒４６の本数は、少なくとも２本あれば足りるが、連結棒４６は幅木２０を起立させたとき板状体２２と接し、板状体２２に力が加わったとき変形を防止する補強材としても機能するので、板状体２２の長さが長い場合は、本数が多い方が好ましい。また連結棒４６の本数を多くすると、連結棒４６の太さ、支持ピン４２、４４の大きさを小さくすることができるので、支持ピン４２と足場板本体の上面１０との距離を大きくすることができる。支持ピン４２と足場板本体の上面１０との距離を大きくすることで板状体２２の高さを高くすることができ、結果、板状体２２の枚数を少なくすることができ好ましい。
【００３０】
連結棒４６の長さは、基本的に幅木２０の高さを決めるので幅木２０の高さに合わせる必要がある。具体的には、幅木２０を起立させたとき側面カバーの底面２７が足場板本体の上面１０と一致する長さとする必要がある。連結棒４６の長さと幅木２０の高さとがアンバランスで連結棒２０の長さが短いと幅木２０を起立させたとき側面カバーの底面２７と足場板本体の上面１０との間に隙間ができ好ましくない。一方、連結棒４６の長さと幅木２０の高さとがアンバランスで連結棒４６が長過ぎると幅木２０を起立させたとき側面カバー２３が足場板本体の上面１０に乗り上げるので、足場板本体３の通路幅が狭くなる。
【００３１】
支持ピン４２は、足場板本体の側面８、９の底辺近傍に固定され、連結棒４６の一端部に穿設された貫通孔（図示を省略）が貫通する。一方の支持ピン４４は、板状体２２を展開したとき一番上方となる板状体２２の上部に固定され、連結棒４６の他端部に穿設された貫通孔（図示を省略）が貫通する。連結棒４６は、支持ピン４２、４４に対して回動自在である。
【００３２】
足場板１を使用しないとき又は足場板１は使用するが幅木２０を使用する必要がないときは、図１に示すように板状体２２を折り畳み足場板本体１の側面８、９に格納しておく。このとき幅木２０は足場板本体の上面１０、端部１２、１３から突出しない大きさからなるので、幅木２０がじゃまにならず又幅木２０が破損することもない。なお、幅木２０を足場板本体の側面８、９に格納したとき、幅木２０は連結棒４６と足場板本体の側面部８、９とに挟まれた状態で格納されるので、この状態で幅木２０がぐらつくことはない。幅木２０を足場板本体の側面部８、９に格納したとき、幅木２０又は連結具４０が回動しないようにロック装置を設けることが好ましい。ロック装置としては、ローラー締まりのように付勢バネを内蔵した突起と突起が嵌り込み受部とからなるロック装置を用いれば、固定、解除を簡単に行い得るので好ましい。またロック装置に磁石を利用し、展開したとき一番下方となる板状体２２を磁力を利用して足場板本体３に吸着させてもよい。
【００３３】
幅木２０を使用するときは、幅木２０を足場板本体の側面８、９に起立させる。幅木２０を足場板本体の側面８、９に起立させるには、連結棒４６が足場板本体の上面１０に対して直交するように連結具４０を起立させ、板状体２２を順次展開すればよい。各板状体２２はヒンジ２５を介して折り畳み、展開可能に連結されているので簡単に展開させることができる。このとき側面カバー２３の端部３１は、足場板本体の側面上端に接するように位置するので、足場板本体の通路幅を狭めることはなく、さらに側面カバー２３と足場板本体の側面部８、９との間に隙間ができず、ボルトなどの小さな物品の落下も確実に防止することができる。
【００３４】
前後の板状体２２ａ、２２ｂを展開した後、接続板２６をスライドさせ接続板２６を前後の板状体２２ａ、２２ｂの中央側端部２４ａ、２４ｂに掛け渡す。幅木２０を立たせた状態で前後の板状体２２ａ、２２ｂの間に隙間がなく、かつ前後の板状体２２ａ、２２ｂは、接続板２６で接続し一体化されるので、ぐらつかず強固である。その後、板状体２２ａ、２２ｂの外側端部２８ａ、２８ｂに格納された端部カバー３０ａ、３０ｂを引き出す。幅木２０を格納するときは、上記手順を逆に行えばよい。
【００３５】
上記実施形態で示すように本発明に係る足場板は、幅木と足場板本体が連結具を介して連結され幅木と足場板本体とが一体化された足場板であり、幅木を使用するときは幅木を足場板本体の側面部に起立させて使用するので、工具も必要とせず簡単に幅木を使用することができる。また幅木は、足場板本体の側面部に配置されているので通路幅を狭めることがなく使い勝手がよい。さらに上記複数の足場板を短手方向が接するように並べて使用するような場合では、端部カバーを隣り合う足場板の幅木に掛け渡せば、隙間もなく、幅木も一体化されより強固となる。なお、本実施形態では、２分割した幅木を示したが、幅木は一体型であってもよい。足場板本体の長さが長い場合には、幅木も長くなるので、２分割構造の方が製作しやすいが、一体型の幅木は構造が簡単なので、足場板本体の長さが短い場合には２分割構造の幅木よりも一体型の幅木の方が好ましい。
【符号の説明】
【００３６】
１  足場板
３  足場板本体
６  足場板本体の前面
７  足場板本体の後面
８  足場板本体の左側面
９  足場板本体の右側面
１０  足場板本体の上面
１１  足場板本体の底面
１２  足場板本体の前側端部
１３  足場板本体の後側端部
２０、２０ａ、２０ｂ  幅木
２２  ２２ａ、２２ｂ  板状体
２３ａ、２３ｂ  側面カバー
２４ａ  前側の板状体の中央側端部
２４ｂ  後側の板状体の中央側端部
２５、２５ａ  ヒンジ
２６  接続板
２７  側面カバーの底面
２８ａ  前側の板状体の外側端部
２８ｂ  後側の板状体の外側端部
３０ａ、３０ｂ  端部カバー
３１  側面カバーの端部
３２ａ、３２ｂ  幅木の上端
４０、４０ａ、４０ｂ  連結具
４２、４２ａ、４２ｂ  支持ピン
４４、４４ａ、４４ｂ  支持ピン
４６、４６ａ、４６ｂ  連結棒
【図１】
2011184867.tif 000003
【図２】
2011184867.tif 000004
【図３】
2011184867.tif 000005